(57)【要約】【課題】地下構造物の受け枠高さ調整装置において、  締結ナットの締めすぎによる受け枠の変形を防止する。【解決手段】地下構造物の蓋体を受け支える受け枠と下部構造との間に介在し、受け枠上端の高さをそれが設置されている周囲の舗装路面の高さに合わせて調整するための装置について、下部構造１３に植設された複数個のアンカーボルト１５と螺合して、受け枠１２を受け支える高さを調整する調整２０ナットを具備し、上記調整ナット２０は、受け枠を下から支える支え部１６と、アンカーボルトと螺合するメネジ部１７を有する筒状部１８とから成る一体物であり、上記筒状部は、締結ナットにより受け枠のフランジ部が直接締め付けられないように、支え部１６の上面から筒状部１８の上端までの高さが上記フランジ部の厚さよりもやや大きく形成されている。【選択図】          図１
2013189819.tif 000002
【特許請求の範囲】
【請求項１】
地下構造物の蓋体を受け支える受け枠と下部構造との間に介在し、受け枠上端の高さをそれが設置されている周囲の舗装路面の高さに合わせて調整するための装置であって、
下部構造に植設された複数個のアンカーボルトと螺合して、受け枠を受け支える高さを調整する調整ナットを具備し、
上記調整ナットは、受け枠を下から支える支え部と、アンカーボルトと螺合するメネジ部を有する筒状部とから成る一体物であり、上記筒状部は、締結ナットにより受け枠のフランジ部が直接締め付けられないように、支え部の上面から筒状部の上端までの高さが上記フランジ部の厚さよりもやや大きく形成されている
地下構造物の受け枠高さ調整装置。
【請求項２】
下部構造に植設されているアンカーボルトに通す皿ばねと、受け枠をフランジ部にて締結するために、上記アンカーボルトに螺合させる締結ナットを有し、皿ばねは、その中央口寄りの内縁部が調整ナットの筒状部の上端に配置され、締結ナットにより締め付けられたときに皿ばねの外縁部が受け枠のフランジ部に接して弾性的に押さえるように構成された
請求項１記載の地下構造物の受け枠高さ調整装置。
【請求項３】
調整ナットは、締結操作時のトルクにより、調整ナットが回転するのを防止するために、アンカーボルトを通すフランジ部のアンカー孔部分に係合する回り止め手段を有している
請求項１又は２記載の地下構造物の受け枠高さ調整装置。
【発明の詳細な説明】
【技術分野】
【０００１】
本発明は、地下構造物の蓋体を受け支える受け枠と下部構造との間に介在し、受け枠上端の高さをそれが設置されている周囲の舗装路面の高さに合わせて調整するための装置に関するものである。
【背景技術】
【０００２】
地下構造物では、開閉可能な鉄蓋の表面と設置部周囲の舗装路面とが一致していない場合、段差を生じて、歩行者がつまずいたり、車両が振動を受けたりするため、高さの調整対策が施されている。調整対策としては、アンカーボルトにて受け枠を支えるために、球面座により受け枠のフランジ部を受け支える実開平３‐１０８０３９号や、球面形状を有するワッシャーを用いて受け枠のフランジ部を支持する特開２００８‐１２１１９８号がある。球面形状の部材は、ナット締め付け過ぎによりフランジ部を変形させる恐れを解消するものであるが、しかし、球面形状であるため大型であり、フランジ部の下方に十分な空所がない場合には適用することができない。上記の十分な空所の下限は、およそ２ｃｍと見積もられる。
【０００３】
また、上記の受け枠高さ調整方式では、高さ調整に関与する部材やボルトが露出しているため、一旦施工するとそれらにモルタルが付着することになり、このため再度高さ調整が必要になったときの再使用は不可能である。さらに、特開平１０‐６０９３０号や、特開平１０‐６８１３６号では、レベル調整手段を保護ブロックで覆ったり、受け枠を緊結する固定手段を保護キャップで覆ったりする技術が提案された。これらにより、再施工が容易となり施工時の経済性も改善され得る。しかし、保護ブロックや保護キャップのコストがかかり、また、球面形状部材の大きさに関する問題は、依然残されたままである。
【０００４】
これに対して、受け枠のフランジ部を凹凸にした特開２００４‐３２４１８７号が提案されており、これによれば、フランジ部の凹凸により一部が上げ底になっているので、その空間に高さ調整部材を配置し、狭い空所しかなくても受け枠の高さ調整が可能になる。しかし、受け枠形状が複雑になり、生産性が低下したりコストアップを招いたりする等の懸念がある。また、フランジ部の凹凸の凹部は全周の半分であるから、高さ調整を必要とせずに受け枠を直接下部構造に設置する場合は、鉄蓋を介して受ける受け枠と下部構造の接触面圧が約２倍となる。さらに、上記発明でも球面形状の部材を使用するのであれば、モルタルを流し込むときに受け枠のフランジ部の凸部が流動性を阻害する要因となり、モルタルの充填不足が発生する恐れもある。
【０００５】
【特許文献１】実開平３‐１０８０３９号
【特許文献２】特開２００８‐１２１１９８号
【特許文献３】特開平１０‐６０９３０号
【特許文献４】特開平１０‐６８１３６号
【特許文献５】特開２００４‐３２４１８７号
【発明の開示】
【発明が解決しようとする課題】
【０００６】
本発明は前記の実情に鑑みてなされたもので、その課題は、締結ナットの締めすぎによる受け枠の変形を防止することである。また、本発明の他の課題は、フランジ部の下方に十分な空所がなくても受け枠の高さ調整が可能であり、かつ、モルタルを流し込むときに流動性を阻害しない地下構造物の受け枠高さ調整装置を提供することである。また、本発明の他の課題は、嵩上げ施工において受け枠を押さえることにより安定した施工を可能とし、また、モルタルを破壊しなくても再嵩上げの可能な地下構造物の受け枠高さ調整装置を提供することである。
【課題を解決するための手段】
【０００７】
前記の課題を解決するため、本発明は、地下構造物の蓋体を受け支える受け枠と下部構造との間に介在し、受け枠上端の高さをそれが設置されている周囲の舗装路面の高さに合わせて調整するための装置について、下部構造に植設された複数個のアンカーボルトと螺合して、受け枠を受け支える高さを調整する調整ナットを具備し、上記調整ナットは、受け枠を下から支える支え部と、アンカーボルトと螺合するメネジ部を有する筒状部とから成る一体物であり、上記筒状部は、締結ナットにより受け枠のフランジ部が直接締め付けられないように、支え部の上面から筒状部の上端までの高さが上記フランジ部の厚さよりもやや大きく形成するという手段を講じたものである。
【０００８】
本発明の対象とする地下構造物の受け枠は、いわゆるマンホールの地表に通じる上部構造の部分に位置するものである。その下部構造となるのは、マンホール躯体を構成する斜壁、調整リング等であり、その最上部にアンカーボルトが複数個、通常は等間隔で植設されている。アンカーボルトは、締結ナットと共に受け枠を下部構造に締結するもので、集中豪雨等により内部の圧力が著しく上昇したときに、鉄蓋ごと受け枠が飛散するのを防止する。
【０００９】
本発明の装置は、下部構造に植設された複数個のアンカーボルトと螺合して、受け枠を受け支える高さを調整する調整ナットを具備して構成されている。調整ナットは、それ自体にて受け枠のフランジ部を支えて高さ調整を行い、また、締結ナットは高さ調整された受け枠の抜け出しを防止する。上記の締結ナットは、受け枠をフランジ部にて締結するためにも使用される。
【００１０】
調整ナットは、受け枠を下から支える支え部と、アンカーボルトと螺合するメネジ部を有する筒状部とから成る一体物である。その筒状部は、締結ナットによりフランジ部が直接締め付けられないように、支え部の上面から筒状部の上端までの高さがフランジ部の厚さよりもやや大きく形成されている。故に、支え部は調整ナットの下部に位置して、それよりも上方が筒状部を構成する部分となるので、例えば、逆Ｔ字型のような（但し、縦線が幅広の）外形を有する。また、支え部は、施工途中の受け枠下部空所にモルタルが充填されるまでの間、受け枠の重量を支える目的で設けるもので、大きな強度は必要とせず、例えば、鍔状の形態を取り、２ｍｍ程度と非常に薄く形成することができる。
【００１１】
筒状部が、支え部の上面から筒状部の上端までの高さをフランジ部の厚さよりもやや大きいということは、締結ナットで調整ナットを締め付けただけでは、受け枠のフランジ部は固定されないということである。調整ナットの位置で受け止められた結果受け枠は既に高さ調整がなされているので、その状態でモルタルを打つことも可能であり、最小限度の目的は達せられる。しかし、受け枠が固定されていなければ、工事中、ガタつきを生じることになるのでそれを防ぐ対策を講じることが望ましい。
【００１２】
上記ガタつきを防止するには、下部構造に植設されているアンカーボルトに通す皿ばねと、受け枠をフランジ部にて締結するために、上記アンカーボルトに螺合させる締結ナットを有し、皿ばねは、その中央口寄りの内縁部が調整ナットの筒状部の上端に配置され、締結ナットにより締め付けられたときに皿ばねの外縁部が受け枠のフランジ部に接して弾性的に押さえるように構成することが望ましい。
【００１３】
その結果、受け枠はフランジ部にて固定されるが、固定力は皿ばねの弾性力の範囲にあるので、受け枠のフランジ部に変形を来たす恐れはない。皿ばねは、円盤状のばねを皿状に立体的にしたもので、ダイヤフラムスプリングなどと呼ばれ、用途に応じて形の異なるものがある。なお、ＪＩＳ規格ではＢ  ２７０６に記載されているものを使用することができる。
【００１４】
また、調整ナットは、締結操作時のトルクにより、調整ナットが回転するのを防止するために、アンカーボルトを通すフランジ部のアンカー孔部分に係合する回り止め手段を有していることが望ましい。なお、受け枠フランジ部のアンカー孔は（社）日本下水道協会規格  ＪＳＷＡＳ  Ｇ−４では長円（両端が円弧状の幅２２ｍｍ×長さ４０ｍｍ）で規格化されており、短寸法２２ｍｍより長いピッチで回り止めを形成することができる。回り止め手段としては、アンカー孔の壁面に係合可能な突起類を調整ナットに設けることが容易な実施方法として推奨されるが、回り止め手段の具体的な形態については自由に選択することができる。
【発明の効果】
【００１５】
本発明は以上のように、支え部の上面から筒状部の上端までの高さがフランジ部の厚さよりもやや大きく形成されているから、締結ナットの締めすぎによる受け枠の変形を防止することができるという効果を奏する。また、本発明によれば、逆Ｔ字型のような外形の調整ナットを用い得るので、フランジ部の下方に十分な空所がなくても受け枠の高さ調整が可能であり、かつ、モルタルを流し込むときに流動性を阻害しない地下構造物の受け枠高さ調整装置を提供することができる。また、本発明によれば、締結ナットにより締め付けたときに外縁部が受け枠のフランジ部に接して押さえることにより、安定した施工が可能となり、また、モルタルを破壊しなくても再嵩上げが可能である。
【発明を実施するための最良の形態】
【００１６】
以下図示の実施形態を参照して本発明をより詳細に説明する。図１は本発明に係る地下構造物の受け枠高さ調整装置１０の一例を示しており、１１は鉄蓋、１２はその受け枠、１３は下部構造で、調整リング１３ａと斜壁１３ｂとから成る。下部構造１３には、複数個のアンカーボルト１５が植設され、アンカーボルト１５は、斜壁１３ｂのインサートナット１４に螺合されていて、それ自体も或る程度の高さ調節機能を有している。
【００１７】
鉄蓋１１の外周縁と受け枠１２の内周縁とは、何れも精密機械加工され、いわゆるテーパー嵌合を生じる構造を有している。しかし、受け枠１２のフランジ部１２ａが締結ナット２６により過度に締め付けられると、上記の精密機械加工されたテーパー面が微小変形し、テーパー嵌合が阻害され、その結果鉄蓋１１が受け枠１２に食い込まず、がたつき発生の原因となる。本発明は、高さ調整に伴って陥り易い過度の締結力が受け枠に加えられないようにすることも一つの目的としたものである。
【００１８】
そのため、下部構造１３に植設された複数個のアンカーボルト１５と螺合し、受け枠１２を受け支える高さを調整する調整ナット２０を用いる。調整ナット２０は、受け枠１２を下から支える円環状の支え部１６と、アンカーボルト１５と螺合するメネジ部１７を有する筒状部１８とから成る。図示の調整ナット２０は、その下端に、円環状の支え部１６を、筒状部１８から鍔状に外方へ突出させた逆Ｔ字型のような（但し、縦線が幅広の）、一体構造物として形成されている（図２Ｃ、Ｄ参照）。
【００１９】
また、調整ナット２０は、締結操作によるトルクで、調整ナット２０が回転するのを防止するために、アンカー孔２１の孔壁に係合する回り止め手段１９を有している。なお、図示の例における支え部１６は、アンカー孔２１の短径よりも大径であり、かつ、数ｍｍ以下、望ましくは２ｍｍ程度の薄さに形成されている。上記回り止め手段１９は、円環状の支え部１６の上面に植設したピン状の突起であり、２個のピン状の突起が１８０度間隔で配置され、その間隔が長円状のアンカー孔２１の短径よりも大きく設定されている（図３Ｂ、図４Ｂ参照）。
【００２０】
また、本発明では、上記のアンカーボルト１５に通す中央口２２を有する皿ばね２５を併用し得る（図２参照）。皿ばね２５は、その中央口寄りの内縁部２３が調整ナット２０の筒状部１８の上端１８ａに配置され、締結ナット２６により締め付けたときに、外縁部２４が受け枠１２にフランジ部１２ａの上面にて接して、これを弾性的に押さえるように構成されている。
【００２１】
上記締結ナット２６は、高さ調整後に、受け枠１２をフランジ部１２ａにて締結するために、上記下部構造１３に植設されているアンカーボルト１５に螺合させるものである。締結ナット２６は、飽くまで、マンホール内圧の上昇により、アンカーボルト１５から受け枠１２が押し出されるのを防止するものである。
【００２２】
このような構成を有する本発明の受け枠高さ調整装置１０の作用について、図３以下を参照して説明する。図３はアンカーボルト１５に調整ナット２０を螺合させた状態を示しており、調整ナット２０は、その回り止め手段１９が、受け枠１２のフランジ部１２ａに形成されたアンカー孔２１に収まるように、その長径方向に合わせておく（図３Ｂ）。
【００２３】
次いで、受け枠１２のフランジ部分１２ａを、調整ナット２０の支え部１６に載置した状態とし、その状態から回り止め手段１９の高さよりやや浮かせるまで持ち上げておき、調整ナット２０を上下させて、受け枠１２の高さを微調整する（図４参照）。上記の調整操作を受け枠全体について行い、路面等の設置部周囲の高さに合わせるものとする。高さ調整が完了すると、調整ナット２０に設けた回り止め手段１９はアンカー孔２１の孔壁に係合して回り止めとなる。また、このとき、調整ナット２０の筒状部１８の上端１８ａは、フランジ部分１２ａの上面よりもやや高い位置となる（図４Ａ）。
【００２４】
上記の高さ調整完了後、皿ばね２５を調整ナット２０の上に乗せる（図５参照）。このとき皿ばね２５は、内縁部２３が筒状部１８の上端１８ａよりもやや浮いた状態となり、外縁部２４は受け枠１２のフランジ部分１２ａ上に接触する。図６に示すように締結ナット２６をアンカーボルト１５に螺合し、それを締め付けると、皿ばね２５の内縁部２３が筒状部１８の上端１８ａに密着するまで撓み、皿ばね２５の外縁部２４が上記フランジ部分１２ａを弾性的に押さえ付ける状態となり、受け枠１２が固定され、これにより施工中のガタつきが防止される。つまり皿ばね２５のたわみ代＞（調整ナット２０の筒状部１８の上端１８ａまでの高さ−受け枠１２のフランジ部の厚さ）となっている。
【００２５】
また、締結ナット２６を過度に締め過ぎても、皿ばね２５は内縁部２３にて調整ナット２０の筒状部１８の上端１８ａに当接するので、受け枠１２を変形させるような過度の締め付け力が受け枠１２に作用することはない。また、締結ナット２６による締め付けトルクが、筒状部１８の上端１８ａとの間に発生する摩擦力で調整ナット２０に伝わっても、回り止め手段１９が効いているので、調整ナット２０の回転角度はわずかであり、高さが狂ってしまうこともない。さらに、調整ナット２０支え部１６は厚さが２ｍｍ程度と非常に薄いので、下部構造の近く迄受け枠１２を下げる調整が可能である。
【００２６】
このように構成されている本発明の装置によれば、下部構造１３と受け枠１２との間Ｓにモルタル２７を充填し、高さ調整のための工事を効率良く行うことができる。また、本発明の装置によれば、既に設置されている地下構造物に対して再度の高さ調整が必要となった場合でも、再調整は比較的容易に行うことができる。
【００２７】
図７Ａは、再調整のために舗装を剥離して、アンカーボルト１５から締結ナット２６と皿ばね２５を取り外した状態を示しており、露出させたアンカーボルト１５の部分にはモルタルが付着していない。ここで、受け枠１２を持ち上げると調整ナット２０が既設のモルタル２７の表面に見えるので、回り止め手段１９を利用して回転させることで、アンカーボルト１５と螺合している筒状部１８のメネジ部１７にジャッキ力が発生し、既設のモルタル２７を破壊せずに支え部１６の部分をモルタル中から剥がして、調整ナット２０を取り外すことができる。よって、再び調整ナット２０を用いて高さ調整を行い、既設のモルタル２７の上に嵩上げのモルタル２８を充填し、受け枠高さ調整工事を施工することができる。
【図面の簡単な説明】
【００２８】
【図１】本発明に係る地下構造物の受け枠高さ調整装置の一例を示す断面説明図である。
【図２】同上の装置に用いる部材を示すもので、Ａは皿ばねの平面図、Ｂは中央部断面図、Ｃは調整ナットの平面図、Ｄはその４分の１断面を示す説明図である。
【図３】同上の装置の調整ナットを取り付けた状態を示すもので、Ａは縦断面図、Ｂは平面図である。
【図４】同じく調整ナットにより受け枠を支えた状態を示すもので、Ａは縦断面図、Ｂは平面図である。
【図５】同じく皿ばねを取り付けた状態を示すもので、Ａは縦断面図、Ｂは平面図である。
【図６】同じく締結ナットを取り付けた状態を示すもので、Ａは縦断面図、Ｂは平面図である。
【図７】本発明の装置により、再調整を行う状態を示すもので、Ａは舗装を剥離してアンカーボルトから締結ナットと皿ばねを取り外した状態の断面図、Ｂは嵩上げのモルタルを充填し、受け枠高さ調整工事を施工した状態の断面図である。
【符号の説明】
【００２９】
１０  受け枠高さ調整装置
１１  鉄蓋
１２  受け枠
１３  下部構造
１４  インサートナット
１５  アンカーボルト
１６  支え部
１７  メネジ部
１８  筒状部
１９  回り止め手段
２０  調整ナット
２１  アンカー孔
２２  中央口
２３  内縁部
２４  外縁部
２５  皿ばね
２６  締結ナット
２７  既設のモルタル
２８  嵩上げのモルタル
【図１】
2013189819.tif 000003
【図２】
2013189819.tif 000004
【図３】
2013189819.tif 000005
【図４】
2013189819.tif 000006
【図５】
2013189819.tif 000007
【図６】
2013189819.tif 000008
【図７】
2013189819.tif 000009